(57)【要約】【課題】  デカルの詳細情報の出力機能に異常が発生している場合でも、デカルの詳細情報を適切に提供することのできる電子装置、情報提供方法、情報提供プログラム及び記録媒体の提供を目的とするする。【解決手段】  所定の箇所にデカルが付された電子装置であって、前記デカルに対する人体の近接又は接触を検知する検知手段と、前記検知手段によって人体の近接又は接触が検知されたデカルに対応する詳細情報を検索する検索手段と、前記検索手段によって検索された前記詳細情報をネットワークを介して接続する装置に転送する転送手段とを有することにより上記課題を解決する。【選択図】  図３
2006088642.tif 000002
【特許請求の範囲】
【請求項１】
所定の箇所にデカルが付された電子装置であって、
前記デカルに対する人体の近接又は接触を検知する検知手段と、
前記検知手段によって人体の近接又は接触が検知されたデカルに対応する詳細情報を検索する検索手段と、
前記検索手段によって検索された前記詳細情報をネットワークを介して接続する装置に転送する転送手段とを有することを特徴とする電子装置。
【請求項２】
前記ネットワークを介して接続する装置は、前記電子装置より転送された前記詳細情報を表示させることを特徴とする請求項１記載の電子装置。
【請求項３】
前記ネットワークを介して接続する装置は、前記電子装置より転送された前記詳細情報を印刷することを特徴とする請求項１又は２記載の電子装置。
【請求項４】
前記検索手段によって検索された前記詳細情報を印刷する印刷手段を更に有することを特徴とする請求項１乃至３いずれか一項記載の電子装置。
【請求項５】
前記検索手段によって検索された前記詳細情報を表示させる表示手段を更に有することを特徴とする請求項１乃至４いずれか一項記載の電子装置。
【請求項６】
所定の箇所にデカルが付された電子装置における情報提供方法であって、
前記デカルに対する人体の近接又は接触を検知する検知手順と、
前記検知手順によって人体の近接又は接触が検知されたデカルに対応する詳細情報を検索する検索手順と、
前記検索手順によって検索された前記詳細情報をネットワークを介して接続する装置に転送する転送手順とを有することを特徴とする情報提供方法。
【請求項７】
前記ネットワークを介して接続する装置が前記電子装置より転送された前記詳細情報を表示させる第一の表示手順を更に有することを特徴とする請求項６記載の情報提供方法。
【請求項８】
前記ネットワークを介して接続する装置が前記電子装置より転送された前記詳細情報を印刷する第一の印刷手順を更に有することを特徴とする請求項６又は７記載の情報提供方法。
【請求項９】
前記検索手段によって検索された前記詳細情報を当該電子装置が印刷する第二の印刷手順を更に有することを特徴とする請求項６乃至８いずれか一項記載の情報提供方法。
【請求項１０】
前記検索手段によって検索された前記詳細情報を当該電子装置が表示させる第二の表示手順を更に有することを特徴とする請求項６乃至９いずれか一項記載の情報提供方法。
【請求項１１】
所定の箇所にデカルが付された電子装置に、
前記デカルに対する人体の近接又は接触を検知する検知手順と、
前記検知手順によって人体の近接又は接触が検知されたデカルに対応する詳細情報を検索する検索手順と、
前記検索手順によって検索された前記詳細情報をネットワークを介して接続する装置に転送する転送手順とを実行させるための情報提供プログラム。
【請求項１２】
請求項１１記載の情報提供プログラムを記録したコンピュータ読み取り可能な記録媒体。
【発明の詳細な説明】
【技術分野】
【０００１】
本発明は、電子装置、情報提供方法、情報提供プログラム及び記録媒体に関し、特に所定の箇所にデカルが付された電子装置、情報提供方法、情報提供プログラム及び記録媒体に関する。
【背景技術】
【０００２】
プリンタ等の画像形成装置等では、例えば、原稿又は記録用紙のジャム等が発生すると、ユーザは機器の扉等を開けて、扉等の内側に示された操作手順に従ってジャムを除去する。このようなメンテナンスに関する操作手順は、一般的にはラベル、シール又はデカル等と呼ばれるシート状部材（以下「デカル」という。)に印刷されており、このシート状部材は扉の内側等に接着されている。
【０００３】
デカルには、例えば、原稿や転写紙のセット方法やインクジェット紙、ＯＨＰ紙などの用紙の取り扱いに関する注意事項や、レーザ、高温部に対する注意の喚起、更には商品名、定格電圧、定格電流を示す定格銘板等が印刷されており、ユーザは、このようなデカルを注視しながら操作を行う比較的多い。
【０００４】
しかし、デカルのようなシート状部材は機器の比較的下部に設けられていたり、扉の裏側に設けられていたりすることが多かった。また、経時変化により機器内部の汚れも受け、埃にまみれてくることもあった。さらに、設定内容の多様化等による表示項目の増加等により、ユーザにとっては見にくい小さな文字で表示案内がされているものもあった。このような表示形態や表示状態となっているデカルを見ても、ユーザは、デカルの内容を容易に理解することができず、操作ミスを起こしてしまう場合もあった。
【０００５】
デカルの見にくさを回避すべく、例えば、プラスチックなど樹脂材のリサイクルを目的にして、デカルをはがしやすい構成としている機器もある（例えば、特許文献１）。このような機器では、デカルを取り外してそれを注視しながら操作できるため、目を凝らさなくとも自然に操作できる。また、デカルに印刷された情報を画像形成装置内で記憶しておき、操作パネル上での操作によって、その詳細情報を表示させたり、あるいはハードコピーさせたりすることが可能な機器もある（例えば、特許文献２）。
【特許文献１】特開平７−７２６９２号公報
【特許文献２】特開２００３−２５５７７２号公報
【発明の開示】
【発明が解決しようとする課題】
【０００６】
しかしながら、特許文献１に記載された機器では、デカルを取り外して操作を行った後、デカルを元に戻さなければならないので操作が面倒であるという問題がある。また、デカルを戻し忘れると、以降、デカルを読んで所定の操作を行うことができなくなる。
【０００７】
また、特許文献２に記載された機器では、操作パネル上において極めて複雑なメニュー操作を行う必要があるため、使い慣れていないユーザにとっては、容易にデカル情報を得ることができず、結局のところはユーザズマニュアルを参照し、試行錯誤解読する場合が多かった。また、操作パネルでは表示できる文字数に制限があり、十分な情報を提供できない。そこで、ハードコピーによってデカル情報を印刷させることもできるが、画像形成装置が正常に印刷できる状態でない場合には、この機能も有効ではない。例えば、ジャム除去手順を示したデカルや、転写紙のセット方法やインクジェット紙、ＯＨＰ紙等の用紙の取り扱い上の注意事項等を示したデカル及び本体内部に配置されているデカル等、比較的ユーザが頻繁に注視するデカルについては、その詳細情報を得たいときに限って印刷機能に異常が発生している場合が多い。
【０００８】
本発明は、上記の点に鑑みてなされたものであって、デカルの詳細情報の出力機能に異常が発生している場合でも、デカルの詳細情報を適切に提供することのできる電子装置、情報提供方法、情報提供プログラム及び記録媒体の提供を目的とする。
【課題を解決するための手段】
【０００９】
そこで上記課題を解決するため、本発明は、請求項１に記載されるように、所定の箇所にデカルが付された電子装置であって、前記デカルに対する人体の近接又は接触を検知する検知手段と、前記検知手段によって人体の近接又は接触が検知されたデカルに対応する詳細情報を検索する検索手段と、前記検索手段によって検索された前記詳細情報をネットワークを介して接続する装置に転送する転送手段とを有することを特徴とする。
【００１０】
このような電子装置では、当該電子装置における表示機能や印刷機能等、デカルの詳細情報の出力機能に異常が発生している場合であっても、その詳細情報を他の装置に転送することで、デカルの詳細情報を適切に提供することができる。
【００１１】
また、上記課題を解決するため、本発明は、上記電子装置における情報提供方法、前記情報提供方法を前記電子装置に実行させるための情報提供プログラム、又は前記情報提供プログラムを記録した記録媒体としてもよい。
【発明の効果】
【００１２】
本発明によれば、デカルに対する人体の近接又は接触を検知し、人体の近接又は接触が検知されたデカルに対応する詳細情報を検索し、検索された前記詳細情報をネットワークを介して接続する装置に転送するので、デカルの詳細情報の出力機能に異常が発生している場合でも、デカルの詳細情報を適切に提供することができる。
【発明を実施するための最良の形態】
【００１３】
以下、図面に基づいて本発明の実施の形態を説明する。本実施の形態においては画像形成装置である電子写真方式の直接転写方式によるカラーレーザプリンタ（以下「レーザプリンタ」という）を電子装置の具体例として説明する。
【００１４】
図１は、本発明の実施の形態におけるネットワーク構成例を示す図である。本実施の形態においては図１に示されるように、レーザプリンタ１０と、ホストＰＣ２０と、プリンタ３０とがＬＡＮ（Local Area Network）等のネットワーク４０（有線又は無線の別は問わない）を介して接続されている。
【００１５】
ホストＰＣ２０は、レーザプリンタ１０に対して印刷等の指示を行うコンピュータである。ホストＰＣ２０は、また、レーザプリンタ１０から送信される情報をそのディスプレイに表示させることもできる。プリンタ３０は、一般的なプリンタであり、ホストＰＣ２０やレーザプリンタ１０からの要求に応じて印刷処理を実行する。なお、複数のホストＰＣ２０やプリンタ３０がネットワーク４０に接続していてもよい。
【００１６】
次に、レーザプリンタ１０の詳細について説明する。図２は、本発明の実施の形態におけるレーザプリンタの概略構成図である。図２に示されるようにレーザプリンタ１０には、イエロー（Ｙ）、マゼンダ（Ｍ）、シアン（Ｃ）、黒（Ｋ）の各色の画像を形成するための４組のトナー像形成部１０１Ｙ、１０１Ｍ、１０１Ｃ及び１０１Ｋ（以下総称する場合「トナー像形成部１０１」という。）が、転写紙５００の移動方向（図中の矢印Ａに沿って転写搬送ベルト１０９が走行する方向）における上流側から順に配置されている。なお、図中において、各参照番号の添字Ｙ、Ｍ、Ｃ、Ｋは、それぞれイエロー、マゼンダ、シアン、黒用の部材であることを示す。
【００１７】
トナー像形成部１０１Ｙ、１０１Ｍ、１０１Ｃ及び１０１Ｋは、それぞれ像担持体としての感光体ドラム１１１Ｙ、１１１Ｍ、１１１Ｃ及び１１１Ｋ（以下総称する場合「感光体ドラム１１１」という。）と現像ユニットとを備えている。また、各トナー像形成部１０１の配置は、各感光体ドラム１１１の回転軸が平行になるように、かつ転写紙移動方向に所定のピッチで配列するように、設定されている。
【００１８】
レーザプリンタ１０は、更に、光書込ユニット１０２、給紙カセット１０３及び１０４、並びにレジストローラ対１０５や、転写紙５００を担持して各トナー像形成部の転写位置を通過するように搬送する転写搬送部材としての転写搬送ベルト１０９を有するベルト駆動装置としての転写ユニット１０６、ベルト定着方式の定着ユニット１０７、及び排紙トレイ１０８等を備えている。また、レーザプリンタ１０は、手差しトレイ１１０及びトナー補給容器１１３に加え、図示されない支配トナーボトル、両面・反転ユニット、及び電源ユニット等もスペース１１４の中に備えている。
【００１９】
光書込ユニット１０２は、光源、ポリゴンミラー、ｆ−θレンズ、及び反射ミラー等を備え、画像データに基づいて各感光体ドラム１１１Ｙ、１１１Ｍ、１１１Ｃ及び１１１Ｋの表面にレーザ光を走査しながら照射する。
【００２０】
図２中の一点鎖線Ｌは、転写紙５００の搬送経路を示す。給紙カセット１０３、１０４又は手差しトレイ１１０から給送された転写紙５００は、図示されない搬送ガイドにガイドされながら搬送ローラで搬送され、レジストローラ対１０５が設けられている一時停止位置に送られる。レジストローラ対１０５により所定のタイミングで送出された転写紙５００は、転写搬送ベルト１０９に担持され、トナー像形成部１０１Ｙ、１０１Ｍ、１０１Ｃ及び１０１Ｋに向けて搬送され、各転写ニップを通過する。トナー像形成部１０１Ｙ、１０１Ｍ、１０１Ｃ及び１０１Ｋの感光体ドラム１１１Ｙ、１１１Ｍ、１１１Ｃ及び１１１Ｋ上で現像された各トナー像は、それぞれ各転写ニップで転写紙５００に重ね合わされ、上記転写電界やニップ圧の作用を受けて転写紙５００上に転写される。この重ね合わせの転写により、転写紙５００上にはフルカラートナー像が形成される。
【００２１】
トナー像転写後の感光体ドラム１１１Ｙ、１１１Ｍ、１１１Ｃ、１１１Ｋの表面は、クリーニング装置によりクリーニングされ、更に除電されて次の静電潜像の形成に備えられる。
【００２２】
一方、フルカラートナー像が形成された転写紙５００は、定着ユニット１０７においてフルカラートナー像が定着された後、切換ガイド１１２の回動姿勢に対応して第１の排紙方向Ｄ１又は第２の排紙方向Ｄ２に向かう。第１の排紙方向Ｄ１から排紙トレイ１０８上に排出される場合、転写紙５００は、画像面が下となったいわゆるフェースダウンの状態でスタックされる。一方、第２の排紙方向Ｄ２に排出される場合は、転写紙５００は、図示されない別の後処理装置（ソータ、綴じ装置など）に向けて搬送されるか、スイッチバック部を経て両面プリントのために再度レジストローラ対１０５に搬送される。
【００２３】
図３は、本発明の実施の形態におけるレーザプリンタの制御ブロック図である。図３に示されるように、レーザプリンタ１０は、メイン制御部１２０、記憶部１３１、操作パネル１３２、高圧ユニット１３３、モータ・クラッチ・ソレノイド１３４、センサ１３５、接触センサ内蔵デカル１３６、及びＬＤ制御部１３７等を有する。
【００２４】
メイン制御部１２０は、ＣＰＵ１２１、ＲＯＭ１２２、ＲＡＭ１２３、高圧制御部１２４、インターフェース部１２５、画像処理部１２６、メモリ制御部１２７、操作制御部１２８、及びＬＡＮインターフェース部１２９等より構成されており、これらはＣＰＵ１２１からのメインバスで相互に接続され、ＣＰＵ１２１により制御されている。ＣＰＵ１２１はＲＯＭ１２２に記録されたプログラムに基づいてＲＡＭ１２３をワークエリアとして使用しながら所定の情報処理制御動作を実行する。ＲＯＭ１２２にはＣＰＵ１２１が各種の制御処理を実行するためのプログラムの他、操作制御部１２８の表示プログラム等が格納されている。ＲＡＭ１２３はＣＰＵ１２１によって処理された結果やデータを一時的に記憶するために用いられる。
【００２５】
高圧制御部１２４は、感光ドラム１１１及び転写ユニット１０６内に配置されている高圧ユニット１３３を制御することで、各種画像形成時に感光体ドラム１１１上に静電潜像を形成するための帯電処理、不要静電潜像を除去するための除電処理、及び転写ベルト上に転写紙５００を静電吸着するための帯電処理等を行う。
【００２６】
インターフェース部１２５は、画像形成に必要な各ユニットのモータ、クラッチ、及びソレノイド等の負荷１３４の制御、センサ１３５の制御、並びに接触センサ内蔵デカル１３６内に配置されている接触センサによる人体のデカルへの接触の検知制御を行う。
【００２７】
メモリ制御部１２７はハードディスクなどで構成される比較的大容量の記憶部１３１のリードライト制御を行う。記憶部１３１は、後述されるＬＡＮインターフェース部１２９から入力される画像データの一時記憶やレーザプリンタ１０の内部パターンの保持、並びに後述されるサービスマニュアル及びデカルの詳細情報等のデータ保持等に用いられる。なお、一般的に記憶部１３１に画像データが記憶される際はデータ圧縮が施されて記憶される。
【００２８】
操作制御部１２８はレーザプリンタ１０に接続されている操作パネル１３２の表示制御を行う。画像処理部１２６は、ＬＡＮインターフェース部１２９及び図示されないＵＳＢ・ＩＥＥＥ１３９４等のプリンタインターフェースを通じて、ホストＰＣ２０等から入力される画像データに対し、色変換、展開処理、回転処理、拡大縮小処理、フィルタリング処理、及び二値化処理等の処理を施し、二値の画像データをＬＤ制御部１３７に出力する処理を行う。ＬＤ制御部１３７は、入力された二値の画像データに応じて図示されないレーザダイオードをＯＮ又はＯＦＦして感光体ドラム１１１に照射することで、感光体ドラム１１１上に静電潜像を形成する。画像処理部１２６は、また、記憶部１３１に圧縮記憶されている内部パターン、サービスマニュアル、又はデカルの詳細情報等のデータを解凍処理してＬＤ制御部１３７に出力する機能も有している。
【００２９】
ＬＡＮインターフェース部１２９は、ホストＰＣ２０等からの画像データ及びその他の情報を受信すると共に、レーザプリンタ１０のステータス情報（トナー残量、ジョブ入力情報、ジャム情報等）の送信処理を行う。ＬＡＮインターフェース部１２９は、また、記憶部１３１に記憶されているサービスマニュアル又はデカルの詳細情報等をホストＰＣ２０やプリンタ３０等に送信する処理も行う。
【００３０】
次に、レーザプリンタ１０に貼付されている主なデカルの種類とその貼付箇所について説明する。なお、デカルは、以下に説明するような所定の情報が印刷されたシート状部材であり、ラベル又はシールとも呼ばれるが、本実施の形態においては、デカルで統一することとする。図４は、本発明の実施の形態におけるレーザプリンタに貼付されているデカルについて説明するための図である。図４には、レーザプリンタ１０に貼付されているデカルの一部として、デカル３０１、デカル３０２、デカル３０３、及びデカル３０４等が示されている。
【００３１】
デカルの種類としては主にユーザに対して注意を呼びかけるもの、各国安全規制に適合していることを表示するもの、ユーザに操作方法を説明しているもの等がある。例えば、ユーザに対して注意を呼びかけるものとしては、定着ローラが高温となるため用紙ジャム処理時には注意するように促しているもの（デカル３０１）、機器内部にはレーザ光源があるため自ら分解・修理等をしないように促すもの（デカル３０２）、手のはさみこみに注意を促すもの（デカル３０３）等がある。また、操作方法に関しては、図示されないが用紙ジャム解除方法に関して説明しているもの、各ユニットの清掃方法に関して説明しているもの等がある。
【００３２】
図に示されているように、主に注意を呼びかけるものに関しては比較的長い文章形式で表示されており、操作方法に関しては絵情報で表示されている場合が多い。いずれの表示であってもデカルのサイズには制限があるため、ユーザが必要とする全ての情報をデカルだけで表現することは難しい。すなわち、図中においては日本語表記しか示されていないが、実際には各国向けの言語での表示が必要とされる。また、絵情報に文字情報を追記することはデカルのサイズ上の制限により限界がある。したがって、デカルでは表現しきれないより詳しい情報（詳細情報）に関しては一般的にはサービスマニュアルに掲載される場合が多い。
【００３３】
本実施の形態におけるレーザプリンタ１０は、各デカルに接触センサが配置され（接触センサ内蔵デカル１３６）、デカルに対する人体への接触の検知が可能となっている。接触センサ内蔵デカル１３６に人体が接触したときに、当該デカルに対応する詳細情報が記憶部１３１から検索され、操作パネル１３２に表示される。その際、レーザプリンタ１０が印刷可能状態であれば、詳細情報が画像処理部１２６に出力され、詳細情報がプリントアウトされる。印刷が不可能な状態であった場合は、操作パネル１３２において指定された出力先（ホスト２０又はプリンタ３０等）に詳細情報がＬＡＮインターフェース部１２９を通じて出力される。
【００３４】
以下、かかるレーザプリンタ１０の処理手順について説明する。図５は、レーザプリンタにおけるデカルの詳細情報の出力処理を説明するためのフローチャートである。図５に示される処理は、ＲＯＭ１２２に格納されたコンピュータプログラムがＣＰＵ１２１によって処理されることにより実現される。なお、コンピュータプログラムは、ＲＯＭ１２２以外のコンピュータ読み取り可能な記録媒体に格納されていても良い。コンピュータ読み取り可能な記録媒体としては、磁気記録媒体、光記録媒体、光磁気記録媒体、半導体記憶装置等が一例として挙げられる。
【００３５】
まず、操作パネル１３２において「デカル類表示モード」が設定されているか否かが判断される（Ｓ１０１）。「デカル類表示モード」とは、接触センサ内蔵デカル１３６に対するユーザの接触等により、デカルの詳細情報が操作パネル１３２に表示される状態をいい、操作パネル１３２のキー操作によって予め設定することができる。「デカル類表示モード」が解除されている場合には、「デカル類表示モード」が設定されるのを待ち、「デカル類表示モード」が設定されている場合には、各接触センサ内蔵デカル１３６からのセンサ入力が有効とされ、センサ入力待機状態となる。
【００３６】
ユーザが、接触センサ内蔵デカル１３６に触れると（Ｓ１０２）、対象デカルの詳細情報を記憶部１３１から読み出すための準備が行われる。その後、詳細情報をプリントアウトするか否かの選択が操作パネル１３２においてユーザによって行われ（Ｓ１０３）、プリントアウトが選択されると、詳細情報が記憶部１３１より検索され、検索された詳細情報のプリントアウトが開始される（Ｓ１０４）。
【００３７】
一方、プリントアウトが選択されなかった場合は、詳細情報を他の機器に転送するか否かの選択がユーザによって行われる（Ｓ１０５）。他の機器への転送が選択されると、転送先を特定するための情報（例えば、ＩＰアドレス又はホスト名等）の入力がユーザによって操作パネル１３２において行われ（Ｓ１０６）、指定先に詳細情報が転送される（Ｓ１０７）。転送先がホストＰＣ２０であった場合は、ホストＰＣ２０のディスプレイに詳細情報が表示される。また、転送先がプリンタ３０であった場合は、詳細情報がプリントアウトされる。
【００３８】
一方、他の機器への転送が選択されなかった場合は、詳細情報は操作パネル１３２に表示される（Ｓ１０８）。操作パネル１３２において画面のクローズが選択されると（Ｓ１０９でＹＥＳ）操作パネル１３２の表示が通常画面に戻り（Ｓ１１０）、デカルの詳細情報の出力処理が終了する。
【００３９】
上述したように、本実施の形態におけるレーザプリンタ１０によれば、ユーザは、デカルの内容を容易に理解することができるので操作ミス等を軽減させることができる。すなわち、各デカルは接触検知機能を有しているため、ユーザは、デカルに触れることで任意のデカルの詳細情報を容易に操作部に表示させることができる。
【００４０】
また、用紙ジャム、トナー無し及び何らかの異常状態で画像形成できない状況にあったときでもその詳細情報をネットワークを介して他の機器に転送することができるため、ユーザに対して、適切にその詳細情報を伝達することが可能である。
【００４１】
また、詳細情報をプリントアウトさせたり、ホストＰＣ２０上のディスプレイに表示させたりすることができるため、詳細情報の視認性も向上し、操作ミスを有効に防止することができる。その結果、今までのように何度も目を凝らして見返したりして操作することもなく、円滑かつ自然に操作でき、使用性の向上を図ることが可能となる。
【００４２】
なお、本実施の形態においては、デカルに接触センサを配置した例について説明したが、接触センサの代わりに又は接触センサと共に、人体の体温を検知可能な温度センサや、人体の体温から発生られる赤外線センサ等を各デカルに配置してもよい。例えば、赤外線センサであれば、人体がデカルに接触する前にデカルに対する人体の近接を検知することができるため、ユーザは更に容易にデカルの詳細情報を得ることが可能となる。
【００４３】
また、本発明になる電子装置は画像形成装置に限定されず、ファクシミリ装置、印刷装置、複合装置、空調装置、自動販売機等の各種電子装置にも本発明が同様に適用可能であることは言うまでもなく、電子装置は携帯電話等の携帯型の電子装置であっても良い。例えば、印刷機能を有していない電子装置であれば、表示パネル等によってデカルの詳細情報等を表示させることが考えられるが、かかる電子装置においては、その表示機能に異常が発生した場合に、他の装置に詳細情報を転送することにより、ユーザに詳細情報を適切に提供することができる。すなわち、当該電子装置における印刷機能、表示機能、又は音声出力機能等、デカルの詳細情報の出力機能となり得る機能に異常が発生した場合に、本発明の効果はより顕著なものとして現れる。
【００４４】
以上、本発明の好ましい実施例について詳述したが、本発明は係る特定の実施形態に限定されるものではなく、特許請求の範囲に記載された本発明の要旨の範囲内において、種々の変形・変更が可能である。
【図面の簡単な説明】
【００４５】
【図１】本発明の実施の形態におけるネットワーク構成例を示す図である。
【図２】本発明の実施の形態におけるレーザプリンタの概略構成図である。
【図３】本発明の実施の形態におけるレーザプリンタの制御ブロック図である。
【図４】本発明の実施の形態におけるレーザプリンタに貼付されているデカルについて説明するための図である。
【図５】レーザプリンタにおけるデカルの詳細情報の出力処理を説明するためのフローチャートである。
【符号の説明】
【００４６】
１０              レーザプリンタ
２０              ホストＰＣ
３０              プリンタ
４０              ネットワーク
１０１、１０１Ｙ、１０１Ｍ、１０１Ｃ、１０１Ｋ      トナー像形成部
１０２            光書込ユニット
１０３、１０４        給紙カセット
１０５            レジストローラ対
１０６            転写ユニット
１０７            定着ユニット
１０８            排紙トレイ
１０９            転写搬送ベルト
１１０            手差しトレイ
１１１、１１１Ｙ、１１１Ｍ、１１１Ｃ、１１１Ｋ        感光体ドラム
１１２            切換ガイド
１１３            トナー補給容器
１２０            メイン制御部
１２１            ＣＰＵ
１２２            ＲＯＭ
１２３            ＲＡＭ
１２４            高圧制御部
１２５            インターフェース部
１２６            画像処理部
３０１、３０２、３０３、３０４    デカル
５００            転写紙
【図１】
2006088642.tif 000003
【図２】
2006088642.tif 000004
【図３】
2006088642.tif 000005
【図４】
2006088642.tif 000006
【図５】
2006088642.tif 000007